(57)【要約】【課題】給排気筒の取り出しを器具本体背面の左右どちらからでる行えるようにした暖房器を提供する。【解決手段】バーナ部１の燃焼で発生した燃焼ガスが流入する第１流入口１１を備えた第１集合部１４と、該第１集合部１４に一端を連通し前記燃焼ガスが内方を流通する複数本の熱交パイプ１６と、該熱交パイプ１６の他端が連通すると共に燃焼ガスが直接流入する第２流入口１２を備えた第２集合部１５と、前記第１集合部１４及び第２集合部１５内を熱交パイプ１６と連通する側と各流入口１１、１２と連通する側とに仕切る第１、第２仕切り部材１９、２２を備え、どちらか一方の集合部１４、１５に給排気筒２８を接続し、他方には排気ジョイント２７を接続して、器具本体Ａの背面左右の排気が選択可能としたので、背面の給排気筒位置を左右容易に変更出来る。【選択図】  図１
2005274030.tif 000002
【特許請求の範囲】
【請求項１】
バーナ部の燃焼で発生した燃焼ガスが流入する第１流入口を備えた第１集合部と、該第１集合部に一端を連通し前記燃焼ガスが内方を流通する複数本の熱交パイプと、該熱交パイプの他端が連通すると共に燃焼ガスが直接流入する第２流入口を備えた第２集合部と、前記第１集合部及び第２集合部内を熱交パイプと連通する側と各流入口と連通する側とに仕切る第１、第２仕切り部材を備え、どちらか一方の集合部に給排気筒を接続し、他方には排気ジョイントを接続して、器具本体の背面左右の排気が選択可能とした事を特徴とする暖房器。
【請求項２】
前記給排気筒が接続する集合部には、防爆手段が取り付けられる事を特徴とする請求項１記載の暖房器。
【発明の詳細な説明】
【技術分野】
【０００１】
この発明は燃焼ガスと室内空気を熱交換して加熱し、室内の暖房を行うと共に、熱交換後の排気を屋外に排気する暖房器に関するものである。
【背景技術】
【０００２】
従来よりこの種のものでは、燃焼ガスが流通する熱交換器の表と裏側のそれぞれに接続口を設け、その一方を給排気トップ側に接続し、他方をシールキャップで閉塞することにより、背面左右のどちらからでも給排気トップを取り出すことが出来、設置場所に応じた対応が可能で使用勝手が極めて良いものであった。（例えば、特許文献１参照。）
【特許文献１】特開平２−１５０６６０号公報
【発明の開示】
【発明が解決しようとする課題】
【０００３】
ところでこの従来のものでは、接続口は熱交換器の表と裏に設けられているので、左右を変更するには、熱交換器自体を左右逆にしなければならず、又バーナ部も左右取り付けを逆にする必要があり、大がかりな取り付け位置の変更であって、しかも燃焼ガスの漏れにも関係する重要な部分の分解で、設置業者が行うと言うのも大きな問題で、極めて危険であり、実用性にはかけ離れたものであった。
【課題を解決するための手段】
【０００４】
この発明はこの点に着目し上記問題点を解決する為、請求項１では、バーナ部の燃焼で発生した燃焼ガスが流入する第１流入口を備えた第１集合部と、該第１集合部に一端を連通し前記燃焼ガスが内方を流通する複数本の熱交パイプと、該熱交パイプの他端が連通すると共に燃焼ガスが直接流入する第２流入口を備えた第２集合部と、前記第１集合部及び第２集合部内を熱交パイプと連通する側と各流入口と連通する側とに仕切る第１、第２仕切り部材を備え、どちらか一方の集合部に給排気筒を接続し、他方には排気ジョイントを接続して、器具本体の背面左右の排気が選択可能としたものである。
【０００５】
又請求項２では、前記給排気筒が接続する集合部には、防爆手段が取り付けられるものである。
【発明の効果】
【０００６】
この請求項１の発明によれば、熱交換器自体を動かさなくとも、排気ジョイントを入れ替えるだけで、器具本体背面の給排気筒位置を左右容易に変更出来、設置場所の条件に応じた最適な設置が可能となり、延長配管で長く引き回す等の見た目が悪い配管もなくす事が出来、極めて使用勝手が良いものである。
【０００７】
又請求項２によれば、給排気筒が接続して空いた集合部に防爆手段を取り付ければ、無駄がなく空いたスペースを有効に利用出来、新たに取り付け部を設けることもなく、安価でありながら確実に防爆出来、常に安心して使用出来るものである。
【発明を実施するための最良の形態】
【０００８】
次にこの発明に係る暖房器を図面に示された一実施形態に基づいて説明する。
１はポット式等のバーナ部で、燃焼ファン２からの燃焼空気の供給及び、燃料供給手段（図示せず）による燃料の供給を受けて、燃焼して燃焼ガスを発生するものである。
【０００９】
３はバーナ部１上に位置し、該バーナ部１と連通した耐熱透明体から成る燃焼筒で、上方には筒状の赤熱体４が垂下して備えられ燃焼ガスで加熱されて赤熱する。
５は燃焼筒３の後方を反射板６で囲んで形成した輻射室で、赤熱体４の赤熱状態を室内に反射させて輻射暖房も行うものである。
【００１０】
７は燃焼筒３と連通口８を介して連通した分岐室で、両側に開口９を有する案内板１０で連通口８を覆うと共に、上面の左右両端にはそれぞれ長穴の第１、第２流入口１１、１２を備えている。
【００１１】
１３は前記分岐室７上に備えられた熱交換器で、第１流入口１１と連通した第１集合部１４と、第２流入口１２と連通した第２集合部１５と、前記第１集合部１４と第２集合部１５間を結ぶ複数本の熱交パイプ１６とから構成され、更に第１集合部１４内には熱交パイプ１６側の第１熱交室１７と第１流入口１１側の第１流通室１８とに仕切る第１仕切り部材１９が備えられ、更に第２集合部１５内にも熱交パイプ１６側の第２熱交室２０と第２流入口１２側の第２流通室２１とに仕切る第２仕切り部材２２が備えられている。
【００１２】
前記第１集合部１４の第１熱交室１７には、外方へ突出する第１接続筒２３が接続し、第１流通室１８にも外方へ突出した第２接続筒２４が接続され、更に第２集合部１５の第２熱交室２０には、外方へ突出する第３接続筒２５が接続され、第２流通室２１にも外方へ突出した第４接続筒２６が接続されている。
【００１３】
２７は第１接続筒２３と第２接続筒２４とを連通、或いは第３接続筒２５と第４接続筒２６とを連通する排気ジョイントで、器具本体Ａ背面の正面視左側から給排気筒２８を屋外に突出する設置の時には、第１接続筒２３と第２接続筒２４とを連通するもので、右側から給排気筒２８を屋外に突出する設置の時には、第３接続筒２５と第４接続筒２６とを連通するものである。
【００１４】
２９は第２接続筒２４或いは第４接続筒２６で排気ジョイント２７が接続されない側に備えられる防爆手段で、着火時の瞬間的な爆発着火による圧力上昇を吸収して、熱交換器１３の破損を防止するものである。
３０は熱交換器１３上方に備えられたクロスフローファンから成る対流ファンで、室内空気を吸引して熱交換器１３外周に送風し、熱交換で温風として室内に送風して温風暖房を行うものである。
３１は第１接続筒２３或いは第３接続筒２５と給排気筒２７とを結ぶ排気管であり、３２は器具本体Ａ背面の左右の同じ位置に形成された給排気筒２７貫通用の穴である。
【００１５】
次にこの発明一実施形態の作動について説明する。
今器具本体Ａ背面の正面視左側から給排気筒２８を突出する設置の時には、第１接続筒２３と第２接続筒２４とが排気ジョイント２７で連通され、第３接続筒２５には排気管３１を介して給排気筒２８が接続し、第４接続筒２６には防爆手段２９が備えられている。
器具の出荷時にはこの状態を標準として出荷するものである。
【００１６】
この状態でバーナ部１を燃焼開始させれば、発生した燃焼ガスは燃焼筒３内を上昇して赤熱体４を加熱して赤熱状態とし、この赤熱状態を反射板６で反射させて輻射暖房を行わせるものであり、その後燃焼ガスは分岐室７に流入し、左右両端に形成された第１流入口１１及び第２流入口１２から第１集合部１４と第２集合部１５内に流入するが、第２集合部１５内に流入した燃焼ガスは、出口である第４接続筒２６に防爆手段２９で閉口されているので、他に流通することはないものである。
【００１７】
しかし、第１集合部１４の第１流通室１８に流入した燃焼ガスは、第２接続筒２４→排気ジョイント２７→第１接続筒２３の順に流れ、第１熱交室１７から熱交パイプ１６を流通し、第２集合部１５の第２熱交室２０に流入するが、この時対流ファン３０の送風と熱交換され、送風は温風と成って室内に放出されて温風暖房を行うものであり、熱交換後の第２熱交室２０内に流入した燃焼ガスは、第３接続筒２５から排気管３１を介して給排気筒２８から屋外へ排気されるものである。
【００１８】
次に器具本体Ａ背面の正面視右側から給排気筒２８を突出する設置の時には、第１接続筒２３と第２接続筒２４とを連通している排気ジョイント２７を取り外し、第３接続筒２５と第４接続筒２６とをこの排気ジョイント２７で連通させ、第１接続筒２３には排気管３１を介して給排気筒２８が接続し、第２接続筒２４には防爆手段２９を備える。
【００１９】
この状態でバーナ部１を燃焼開始させれば、発生した燃焼ガスは燃焼筒３内を上昇して赤熱体４を加熱して赤熱状態とし、この赤熱状態を反射板６で反射させて輻射暖房を行わせるものであり、その後燃焼ガスは分岐室７に流入し、左右両端に形成された第１流入口１１及び第２流入口１２から第１集合部１４と第２集合部１５内に流入するが、第１集合部１４内に流入した燃焼ガスは、出口である第２接続筒２４に防爆手段２９で閉口されているので、他に流通することはないものである。
【００２０】
そして第２集合部１５の第２流通室２１に流入した燃焼ガスは、第４接続筒２６→排気ジョイント２７→第３接続筒２５の順に流れ、第２熱交室２０から熱交パイプ１６を流通し、第１集合部１４の第１熱交室１７に流入するが、この時対流ファン３０の送風と熱交換され、送風は温風と成って室内に放出されて温風暖房を行うものであり、熱交換後の第１熱交室１７内に流入した燃焼ガスは、第１接続筒２３から排気管３１を介して給排気筒２８から屋外へ排気されるものである。
【００２１】
このように排気ジョイント２７と給排気筒２８の位置を変えることで、給排気筒２８の左右の取り付け位置を容易に取り替えることが出来、極めて使用勝手が良いと共に、設置場所の条件に応じた最適な設置が可能となり、長い引き回しも必要なく常にスッキリとした配管を得ることが出来るものである。
【図面の簡単な説明】
【００２２】
【図１】この発明の一実施形態を付した温風暖房器の概略断面図。
【図２】同正面視左側設置時の要部説明図。
【図３】同左側設置時を示す説明図。
【図４】同正面視右側設置時の要部説明図。
【図５】同右側設置時を示す説明図。
【符号の説明】
【００２３】
１  バーナ部
１１  第１流入口
１２  第２流入口
１３  熱交換器
１４  第１集合部
１５  第２集合部
１６  熱交パイプ
１９  第１仕切り部材
２２  第２仕切り部材
２７  排気ジョイント
２８  給排気筒
２９  防爆手段
Ａ  器具本体
【図１】
2005274030.tif 000003
【図２】
2005274030.tif 000004
【図３】
2005274030.tif 000005
【図４】
2005274030.tif 000006
【図５】
2005274030.tif 000007